(57)【要約】      （修正有）【課題】レンズモジュールにおいて、光線入射端に近い第１のレンズと鏡筒との間隙から水、水蒸気及び埃などが入り、レンズ上に水滴跡が形成され、又はレンズ間に埃が介入され、結像品質に影響を与えることを防止する。【解決手段】鏡筒１０は、光通過孔１３が開設された第１の筒壁１１ａと、前記第１の筒壁１１ａから折り曲げて延伸する第２の筒壁１２と、前記第１の筒壁１１ａと第２の筒壁１２により形成された収容空間を有し、レンズ群は前記収容空間内に共軸に積層されて設けられ、前記レンズ群は、前記第１の筒壁１１ａに近い第１のレンズ２０を備え、前記第１のレンズ２０と前記鏡筒１０との間にシーリング部材３０ａが設けられる【選択図】図４
2018072798.tif 000002
【特許請求の範囲】
【請求項１】
鏡筒、及び前記鏡筒内に設けられて前記鏡筒に接続されるレンズ群を備え、前記鏡筒は、光通過孔が開設された第１の筒壁と、前記第１の筒壁から折り曲げて延伸する第２の筒壁と、前記第１の筒壁と第２の筒壁により形成された収容空間を有し、前記レンズ群は、物側から像側へ順次に前記収容空間内に共軸に積層され設けられ、前記レンズ群は、前記第１の筒壁に近い第１のレンズを備えるレンズモジュールであって、前記第１のレンズと前記鏡筒との間に更にシーリング部材が設けられ、前記第１のレンズと前記鏡筒との間には、前記シーリング部材によりシーリングされていることを特徴とするレンズモジュール。
【請求項２】
前記第１のレンズは、前記第１の筒壁に対向して設けられた第１の表面を備え、前記第１の表面と前記第１の筒壁との間には、前記シーリング部材によりシーリングされていることを特徴とする請求項１に記載のレンズモジュール。
【請求項３】
前記第１のレンズは、前記第２の筒壁に対向して設けられた側面を備え、前記側面と前記第２の筒壁との間には、前記シーリング部材によりシーリングされていることを特徴とする請求項１又は２に記載のレンズモジュール。
【請求項４】
前記第１のレンズと前記第１の筒壁との間に間隙が設けられ、前記シーリング部材が前記第１のレンズと前記第１の筒壁との間に挟まれるように、前記シーリング部材が前記間隙に設けられていることを特徴とする請求項２に記載のレンズモジュール。
【請求項５】
前記第１の表面は、前記第１の筒壁に当接し、前記第１の筒壁における前記収容空間に対向する面は、第１の内壁であり、前記第１の筒壁には、前記第１の内壁より前記第１のレンズから離れる方向へ凹む凹み部が設けられ、前記シーリング部材は、前記凹み部に設けられていることを特徴とする請求項２に記載のレンズモジュール。
【請求項６】
前記第１のレンズは、前記凹み部の外縁と同一の面にあることを特徴とする請求項５に記載のレンズモジュール。
【請求項７】
前記シーリング部材は、中空環状構成であることを特徴とする請求項１に記載のレンズモジュール。
【請求項８】
前記シーリング部材は、ゴムガスケットであることを特徴とする請求項１に記載のレンズモジュール。
【発明の詳細な説明】
【技術分野】
【０００１】
本願は、結像デバイスの生産技術分野に関し、特にレンズモジュールに関する。
【背景技術】
【０００２】
ビデオカメラ、カメラ、携帯電話などの通常の携帯機器は、いずれもレンズモジュールを有し、レンズモジュールは、一般的に、鏡筒と、光軸に沿って順次に配列された複数のレンズを備え、複数のレンズは、鏡筒内に取り付けられてレンズを形成し、更に携帯機器に取り付けられる。
【０００３】
しかしながら、従来のようなレンズモジュールにおいて、レンズは、直接に鏡筒内に取り付けられており、製造と組み立て誤差が存在しているため、レンズと鏡筒との間に間隙が存在するのも普通であり、長期に亘って使用する中、空気中の液状水、水蒸気及び埃などは、容易に光線入射端に近い第１のレンズから隣接するレンズ間に入り、レンズ上に水滴跡が形成され、又はレンズ間に埃が介入され、結像品質に影響を与える。
【発明の概要】
【０００４】
本願は、上記の課題を解決することができるレンズモジュール及びこのレンズモジュールを備える携帯機器を提供している。
【０００５】
本願は、鏡筒、及び前記鏡筒内に設けられて前記鏡筒に接続されるレンズ群を備え、前記鏡筒は、光通過孔が開設された第１の筒壁と、前記第１の筒壁から折り曲げて延伸する第２の筒壁と、前記第１の筒壁と第２の筒壁により形成された収容空間を有し、前記レンズ群は、物側から像側へ順次に前記収容空間内に共軸に積層され設けられ、前記レンズ群は、前記第１の筒壁に近い第１のレンズを備えるレンズモジュールであって、前記第１のレンズと前記鏡筒との間に更にシーリング部材が設けられ、前記第１のレンズと前記鏡筒との間には、前記シーリング部材によりシーリングされていることを特徴とするレンズモジュールを提供する。
【０００６】
好ましくは、前記第１のレンズは、前記第１の筒壁に対向して設けられた第１の表面を備え、前記第１の表面と前記第１の筒壁との間には、前記シーリング部材によりシーリングされている。
【０００７】
好ましくは、前記第１のレンズは、前記第２の筒壁に対向して設けられた側面を備え、前記側面と前記第２の筒壁との間には、前記シーリング部材によりシーリングされている。
【０００８】
好ましくは、前記第１のレンズと前記第１の筒壁との間に間隙が設けられ、前記シーリング部材が前記第１のレンズと前記第１の筒壁との間に挟まれるように、前記シーリング部材が前記間隙に設けられている。
【０００９】
好ましくは、前記第１の表面は、前記第１の筒壁に当接し、前記第１の筒壁における前記収容空間に対向する面は、第１の内壁であり、前記第１の筒壁には、前記第１の内壁より前記第１のレンズから離れる方向へ凹む凹み部が設けられ、前記シーリング部材は、前記凹み部に設けられている。
【００１０】
好ましくは、前記第１のレンズは、前記凹み部の外縁と同一の面にある。
【００１１】
好ましくは、前記シーリング部材は、中空環状構成である。
【００１２】
好ましくは、前記シーリング部材は、ゴムガスケットである。
【００１３】
本願に係る技術案は、以下の有益な効果を達成することができる。
本願に係るレンズモジュールでは、シーリング部材が増設され、鏡筒と第１のレンズとの間は、シーリング部材により、レンズモジュールの光線入射端でシーリングされ、これにより、長期にわたって使用する中、空気中の液状水、水蒸気及び埃などが第１のレンズと鏡筒との間の間隙から隣接するレンズ間へ進出することが防止され、水滴跡がレンズ上に形成されること及び埃がレンズ間へ介入することが回避され、結像品質を保証することができる。
【００１４】
なお、以上の概要説明や以下の詳細な説明は、例示的なものに過ぎず、本願を限定するものではない。
【図面の簡単な説明】
【００１５】
【図１】本願に係るレンズモジュールの一つの具体的な実施例の構成を示す模式図である。
【図２】本願に係るレンズモジュールの鏡筒の一つの具体的な実施例の構成を示す模式図である。
【図３】本願に係るレンズモジュールのもう１つの具体的な実施例の構成を示す模式  図である。
【図４】本願に係るレンズモジュールのもう１つの具体的な実施例の構成を示す模式図である。
【図５】本願に係るレンズモジュールの鏡筒のもう１つの具体的な実施例の構成を示す模式図である。  ここの図面は、明細書に組み込まれて本明細書の一部を構成し、本願に合致する実施例が示され、明細書と共に本願の原理の解釈に用いられる。
【発明を実施するための形態】
【００１６】
以下、具体的な実施例により、図面を参照しながら、本願を更に詳細に説明する。
【００１７】
図１〜５に示すように、本願の実施例は、ビデオカメラ、カメラ、携帯電話などの携帯機器に用いられることができるレンズモジュールを提供している。レンズモジュールは、通常、鏡筒１０、及び鏡筒１０内に設けられて鏡筒１０に接続されるレンズ群を備える。鏡筒１０は、光通過孔１３が開設された第１の筒壁１１と、第１の筒壁１１から折り曲げて延伸する第２の筒壁１２と、第１の筒壁１１と第２の筒壁１２により形成された収容空間１４を有する。レンズ群は、物側から像側へ順次に収容空間１４内に共軸に積層され設けられ、具体的には、レンズ群は、第１の筒壁１１に近い第１のレンズ２０を備え、一般的に、レンズモジュールは、更に、第２のレンズ４０又はより多くのレンズを備えてもよい。
【００１８】
レンズモジュールは、更に、シーリング部材３０を備え、シーリング部材３０は、ゴムガスケット、シリコンガスケット又はシーリング接着剤などのシーリング機能を発揮できる部材であってもよい。第１のレンズ２０と鏡筒１０との間には、シーリング部材３０によりシーリングされている。更に、鏡筒１０と第１のレンズ２０との間には、シーリング部材３０により、レンズモジュールの光線入射端においてシーリングされている。レンズモジュールの長期使用中、空気中の液状水、水蒸気及び埃などが第１のレンズ２０と鏡筒１０との間隙から隣接するレンズ間へ進出することが防止され、水滴跡がレンズ上に形成されること及び埃がレンズ間へ介入することが回避され、結像品質を保証することができる。
【００１９】
具体的には、鏡筒１０は、光線入射端に近い第１の筒壁１１、及び第１の筒壁１１から折り曲げて延伸する第２の筒壁１２を有し、第１の筒壁１１と第２の筒壁１２は収容空間１４を形成し、且つ、外部光線がレンズモジュールに入るように、第１の筒壁１１に光通過孔１３が開設されており、光通過孔１３は、柱形状の孔であってもよく、テーパ形状の孔であってもよい。第１のレンズ２０は、収容空間１４内に設けられており、第１のレンズ２０は、第１の表面２１と、第１の表面２１から折り曲げて延伸する側面２２とを備え、第１の表面２１は第１の筒壁１１に対向し、側面２２は第２の筒壁１２に対向する。ここで、シーリング部材３０により第１の表面２１と第１の筒壁１１との間しかシーリングされていなくてもよく、又は、シーリング部材３０により側面２２と第２の筒壁１２との間しかシーリングされていなくてもよい。又は、第１の表面２１と第１の筒壁１１との間、及び側面２２と第２の筒壁１２との間には共にシーリング部材３０によりシーリングされてもよい。後者を採用する形態において、第１の表面２１と第１の筒壁１１との間をシーリングするシーリング部材３０、及び側面２２と第２の筒壁１２との間をシーリングするシーリング部材３０は、一体的な構成であってもよく、分体構成であってもよい。
【００２０】
上記のシーリング部材３０は、鏡筒１０と第１のレンズ２０との間の位置、鏡筒１０の上の位置、及び第１のレンズ２０の上の位置の３つの位置のうちの少なくとも１つに設けられることができる。以下、第１の表面２１がシーリング部材３０により第１の筒壁１１とシーリングされる場合、例示してシーリング部材３０、鏡筒１０及び第１のレンズ２０の間のシーリング形態を説明する。勿論、シーリング形態は、以下に例示された形態に限定されておらず、且つ、側面２２がシーリング部材３０により第２の筒壁１２とシーリングされる場合も、以下の形態を採用することができ、その場合、第１の筒壁１１に設けられる構成を第２の筒壁１２に設け、第１の表面２１に設けられる構成を側面２２に設ければよい。
【００２１】
第１の実施例では、図１に示すように、光軸の方向に沿って、第１の表面２１と第１の筒壁１１との間に間隙が存在しており、シーリング部材３０はその間隙に設けられ、即ち、シーリング部材３０は、鏡筒１０と第１のレンズ２０との間に設けられ、ここで、第１の筒壁１１における収容空間１４に対向する面は第１の内壁１１１であり、シーリング部材３０は、第１の内壁１１１と第１の表面２１との間に設けられ、第１のレンズ２０と鏡筒１０の最も外側の接合箇所にてシーリングされることにより、更に、レンズをよりよく保護する。
【００２２】
本実施例において、シーリング部材３０と第２の筒壁１２との間に第１の間隔が存在しており、シーリング部材３０と光通過孔１３との間に第２の間隔が存在している。他の実施例において、シーリング部材と第１のレンズの外縁は、同一の面にあり、又は、シーリング部材と光通過孔の外縁は、同一の面にあってもよい。
【００２３】
第２の実施例では、図３〜５に示すように、第１のレンズ２０は、第１の筒壁１１ａに当接し、第１の筒壁１１ａにおける収容空間１４に対向する面は、第１の内壁１１１ａであり、第１の筒壁１１ａには、前記第１の内壁１１１ａより前記第１のレンズ２０から離れる方向へ凹む凹み部１５が設けられ、前記シーリング部材３０ａは前記凹み部１５に設けられている。シーリング部材３０ａが凹み部１５に設けられることにより、光軸に対して垂直な方向にシーリング部材３０ａの移動を防止し、更に、シーリング効果をより良く発揮することができる。
【００２４】
また、光軸の方向において、第１の内壁１１１ａと第１の表面２１の間に間隔が設けられ、シーリング構成３０ａは、同時に凹み部１５及び当該間隔に位置している。
【００２５】
通常、凹み部１５は、環状の構成であり、内環壁と外環壁を備え、内環壁とは、環状構成の内壁における光軸に近い部分を指し、外環壁とは、環状構成の内壁における内環壁に対向する部分を指す。
【００２６】
凹み部１５の１つの態様として、図３に示すように、第２の筒壁１２の収容空間１４に対向する部分は、第２の内壁１２１ａであり、第２の内壁１２１ａは、外環壁と同一の面にあり、即ち、凹み部１５の加工を簡単化にするように、第２の内壁１２１ａと凹み部１５が円滑に連結している。ここで、シーリング部材３０ａは、第１のレンズ２０の外縁と同一の面にある。
【００２７】
凹み部１５の他の形態として、図４〜５に示すように、光軸に対して垂直な方向において、凹み部１５と第２の筒壁１２との間に距離が存在しており、又は、凹み部１５と光通過孔１３との間に距離が存在しており、好ましくは、光軸に対して垂直な方向において、凹み部１５と第２の筒壁１２との間、凹み部１５と光通過孔１３との間のいずれにも、距離が存在している。この形態において、凹み部１５は複数設けられてもよく、且つ、各凹み部１５にはシーリング部材３０ａが設けられている。
【００２８】
以上は、本発明の好ましい実施例に過ぎず、本発明を限定するものではなく、当業者にとって、本発明に対して、様々変更や変化を実行することができる。本発明の精神と原則から逸脱しない限り、行われた修正、等価置換、改良などは、何れも本出願の保護範囲内に含まれるべきである。  
【符号の説明】
【００２９】
１０−鏡筒
１１、１１ａ−第１の筒壁
１１１、１１１ａ−第１の内壁
１２−第２の筒壁
１２１ａ−第２の内壁
１３−光通過孔
１４−収容空間
１５−凹み部
２０−第１のレンズ
２１−第１の表面
２２−側面
３０、３０ａ−シーリング部材
４０−第２のレンズ
【図１】
2018072798.tif 000003
【図２】
2018072798.tif 000004
【図３】
2018072798.tif 000005
【図４】
2018072798.tif 000006
【図５】
2018072798.tif 000007